(57)【要約】  歯科用支台（２０）及び／又は歯科用インプラント（２００）に付着するための歯科用上部構造（１０）が提供される。歯科用上部構造（１０）は、主本体（１１）と、歯科用支台（２０）及び／又は歯科用インプラント（２００）に接続するための複数の接続部（１２）とを備え、前記主本体（１１）は前記接続部（１２）に接続する。接続部（１２）は、歯科用支台（２０）又は歯科用インプラント（２００）の雄部材（２３）を受け入れる雌部材（１３）を備え、前記雌部材（１３）はコンプライアントな材料製である。
2015534492.tif 000002
【特許請求の範囲】
【請求項１】
歯科用支台（２０）及び／又は歯科用インプラント（２００）に付着するための歯科用上部構造（１０）であって、
主本体（１１）と前記歯科用支台（２０）及び／又は歯科用インプラント（２００）に接続するための複数の接続部（１２）とを備え、前記主本体（１１）が前記接続部（１２）に接続し、
前記接続部（１２）が、歯科用支台（２０）又は歯科用インプラント（２００）の雄部材（２３）を受け入れる雌部材（１３）を備え、前記雌部材（１３）がコンプライアントな材料製である、歯科用上部構造（１０）。
【請求項２】
前記雌部材（１３）が前記歯科用上部構造（１０）の一体構造部である、請求項１に記載の歯科用上部構造（１０）。
【請求項３】
前記雌部材（１３）が雌部材ハウジング（１４）に含まれ、前記雌部材ハウジング（１４）が次に前記主本体（１１）に定着される、請求項１に記載の歯科用上部構造（１０）。
【請求項４】
前記雌部材ハウジング（１４）が前記主本体（１１）のハウジングキャビティ（１５）に嵌め込まれる、請求項３に記載の歯科用上部構造（１０）。
【請求項５】
前記雌部材ハウジング（１４）の外形が円筒状又は平行六面体状であり、前記ハウジングキャビティ（１５）がそれに対応する形状を有する、請求項４に記載の歯科用上部構造（１０）。
【請求項６】
前記主本体（１１）がチタン又はコバルトクロムなどの剛性材料製である、請求項３から５のいずれか一項に記載の歯科用上部構造（１０）。
【請求項７】
前記雌部材（１３）が球状である、請求項１から６のいずれか一項に記載の歯科用上部構造（１０）。
【請求項８】
前記雌部材（１３）が熱可塑性ポリマーを含む、請求項１から７のいずれか一項に記載の歯科用上部構造（１０）。
【請求項９】
前記熱可塑性ポリマーがアクリルポリマー又はアセタールポリマーである、請求項８に記載の歯科用上部構造（１０）。
【請求項１０】
前記アクリルポリマー又は前記アセタールポリマーがそれぞれＰＭＭＡ又はＰＯＭである、請求項９に記載の歯科用上部構造（１０）。
【請求項１１】
歯科用上部構造（１０）を少なくとも１つのインプラントに付着するための歯科用上部構造付着システム（１００）であって、
近位側のインプラント接続部（２１）及び遠位側の歯科用上部構造接続部（２２）を備える歯科用支台（２０）と、
主本体（１１）と前記歯科用支台（２０）に接続するための少なくとも１つの接続部（１２）とを備える歯科用上部構造（１０）とを備え、
前記遠位側の歯科用上部構造接続部（２２）及び前記歯科用上部構造（１０）の前記接続部（１２）の一方又は両方がコンプライアントな材料製であり、それにより、前記遠位側の歯科用上部構造接続部（２２）と前記歯科用上部構造（１０）の前記接続部（１２）との間のスナップ嵌め接続によって、前記歯科用上部構造（１０）を前記歯科用支台（２０）に取外し自在に付着することができる、歯科用上部構造付着システム（１００）。
【請求項１２】
前記歯科用上部構造（１０）が、請求項１から１０のいずれか一項に記載の歯科用上部構造（１０）である、請求項１１に記載の歯科用上部構造付着システム（１００）。
【請求項１３】
前記遠位側の歯科用上部構造接続部（２２）がコンプライアントな材料製であり、前記歯科用上部構造（１０）の前記接続部（１２）が剛性材料製である、請求項１１に記載の歯科用上部構造付着システム（１００）。
【請求項１４】
前記剛性材料がチタン又はコバルトクロムである、請求項１３に記載の歯科用上部構造付着システム（１００）。
【請求項１５】
前記コンプライアントな材料が熱可塑性ポリマーを含む、請求項１１から１４のいずれか一項に記載の歯科用上部構造付着システム（１００）。
【請求項１６】
前記熱可塑性ポリマーがアクリルポリマー又はアセタールポリマーである、請求項１５に記載の歯科用上部構造付着システム（１００）。
【請求項１７】
前記アクリルポリマー又は前記アセタールポリマーがそれぞれＰＭＭＡ又はＰＯＭである、請求項１６に記載の歯科用上部構造付着システム（１００）。
【請求項１８】
前記遠位側の歯科用上部構造接続部（２２）及び前記歯科用上部構造（１０）の前記接続部（１２）がそれぞれ、雄部材（２３）及び雌部材（２４）である、請求項１１から１７のいずれか一項に記載の歯科用上部構造付着システム（１００）。
【請求項１９】
前記雄部材（２３）が球状ヘッドを含み、前記雌部材（１３）が、前記雄部材（２３）の前記球状ヘッドに対応する形状及びサイズの球状キャビティであり、それによって前記球状ヘッドを前記球状キャビティにスナップ嵌めすることができる、請求項１８に記載の歯科用上部構造付着システム（１００）。
【請求項２０】
歯科用上部構造（１０）を製造する方法であって、
少なくとも２つのオッセオインテグレートされた歯科用インプラント（２００）を有する患者の歯科的状況に対する立体データを得るステップと、
前記歯科用インプラントにデジタル的若しくは物理的に付着されるか、又は前記歯科用インプラント（２００）の一体構造部である、歯科用支台（２０）の雄部材（２３）に関する情報を適用するステップと、
前記歯科用上部構造が主本体（１１）と前記歯科用支台（２０）及び／又は歯科用インプラント（２００）に接続するための少なくとも２つの接続部（１２）とを備え、前記主本体（１１）が前記接続部（１２）を接続し、前記接続部（１２）が、前記歯科用支台（２０）又は前記歯科用インプラント（２００）の前記雄部材（２３）を受け入れる雌部材（１３）を備え、前記雌部材（１３）がコンプライアントな材料で形作られるようにして、前記歯科用上部構造（１０）を形作るステップとを含む、方法。
【請求項２１】
前記形作るステップがミリング又は焼結によって行われる、請求項２０に記載の方法。
【請求項２２】
歯科用上部構造（１０）を製造する方法であって、
少なくとも２つのオッセオインテグレートされた歯科用インプラント（２００）を有する患者の歯科的状況に対する立体データを得るステップと、
前記歯科用インプラントにデジタル的若しくは物理的に付着されるか、又は前記歯科用インプラント（２００）の一体構造部である、歯科用支台（２０）の雄部材（２３）に関する情報を適用するステップと、
前記歯科用上部構造が、それぞれ予め画成された少なくとも２つの予め画成されたキャビティ（１５）内に雌部材ハウジング（１４）を配置する、少なくとも２つの予め画成されたキャビティ（１５）を備えた主本体（１１）を備え、それにより、前記歯科用支台（２０）及び／又は歯科用インプラント（２００）に接続するための接続部（１２）が得られ、前記主本体（１１）が前記接続部（１２）に接続し、前記接続部（１２）が、前記歯科用支台（２０）又は前記歯科用インプラント（２００）の前記雄部材（２３）を受け入れる雌部材（１３）を前記雌部材ハウジング（１４）内に備え、前記雌部材（１３）がコンプライアントな材料で形作られるようにして、前記歯科用上部構造（１０）を金属で形作るステップとを含む、方法。
【請求項２３】
前記形作るステップがミリング又は焼結によって行われる、請求項２２に記載の方法。
【発明の詳細な説明】
【技術分野】
【０００１】
本発明は、上部構造（スーパーストラクチャー）の取外し自在な付着を可能にする歯科用インプラント、及び／又はかかる上部構造を任意に備える歯科用補綴物と共に使用される、歯科用上部構造付着システムに関する。より具体的には、本発明は、かかる取外し自在な付着を可能にするための、歯科用上部構造、歯科用上部構造と遠位側で協働すると共に歯科用インプラントと近位側で協働する支台に関する。
【背景技術】
【０００２】
歯科用インプラントシステムの目的は、現在の口腔条件にかかわらず、正常な機能、快適さ、美観、発語、及び健康を患者に取り戻すことである。これらのインプラントシステムは、生体適合性チタンで作られた歯科用インプラントなどの歯科用インプラントを、患者の顎骨に挿入することによって埋め込むことに基づいている。この点において、生体適合性チタンの使用は、１９５０年には既にスウェーデンで始まっており、それ以降更に発展し世界的に普及している。１９８０年代には、多数のインプラントシステムが世界市場に参入した。
【０００３】
従来技術において、取外し自在に付着可能である歯科用補綴物を、補綴物の洗浄又は補修が容易になるようにすると共に、衛生上の目的及び治療の補助のため、下にある支台及び歯肉に簡単にアクセスできるようにすることが知られている。
【０００４】
歯科用補綴物を着脱可能に固定する１つの既知の方法は、下にある支台歯に被せられるコーピングを利用するものである。コーピングは、取外し自在な補綴物の下面に形成された保定装置ソケットに入れ子状に嵌め込まれる、テーパー状の軸線方向外表面を有する主要な鋳型である。保定装置ソケットは、コーピングの形状に緊密に適合し、咀嚼の間、補綴器具をコーピング上で固定された状態で保つ。しかし、保持力は、軸線方向のコーピング表面とそれに噛合する保定装置表面との間の摩擦係合に比例する。摩擦係合は、同様に、軸線方向のコーピング表面のテーパー角に応じて決まる。テーパー角が大きくなるほど、入れ子状の表面間の摩擦応力は少なくなる。反対に、テーパー角を減少させることによって、より大きい摩擦保持が得られる。軸線方向のコーピング表面のテーパーがゼロに近付くにつれて、即ち、コーピング表面が平行かつ管状になるにつれて、保持力は、保定装置を取り外す力がコーピングをその下にある支台歯に固着するのに使用される接着剤の結合強度を上回り得るような保持力になり、その結果、コーピングが引き抜かれて、補綴物を取り外そうとすると支台又は歯が破砕する。
【０００５】
米国特許第４２０４３２１号に開示されているような、歯科用補綴物を取外し自在に装着するための既知の方策は、２つ以上の離隔した歯の歯根に、又は患者の顎骨にオッセオインテグレートされた歯科用インプラントに、歯科用支柱を設置することから成る。支柱内には周溝が形成され、その中にエラストマー性のＯリングが嵌め込まれる。表面材料と共に歯科用補綴物を構成する、固定されるべき上部構造、即ち支台又はインプラントに適用されるべき基礎構造は、支柱を受け入れるように構成された陥凹部を有し、また、義歯を支柱に対して保定する締まり嵌めでＯリングの上に緊密に適合するように形状及びサイズが決められた周辺溝を、支柱を受け入れる陥凹部に有する。Ｏリングはまた、咀嚼中に義歯によって支柱に掛かる応力を部分的に緩和するのに役立つ。しかし、上部構造及び支柱は金属で作られるので、支柱及び上部構造の製造は互いに対して非常に精密である必要があり、また、効率的な洗浄のためにはＯリングを支柱から取り外す必要があるので、Ｏリングを使用することによってシステムの洗浄が不必要に困難になる。
【発明の概要】
【課題を解決するための手段】
【０００６】
したがって、本発明は、好ましくは、次のものを提供することによって、単独で又は任意の組み合わせで、当該分野における上記に特定した欠点及び不利な点の１つ若しくは複数を軽減、緩和、又は排除することを追求すると共に、少なくとも１つの上述した課題を解決する。歯科用支台及び／又は歯科用インプラントに付着するための歯科用上部構造であって、前記歯科用上部構造が、主本体と前記歯科用支台及び／又は歯科用インプラントに接続するための複数の接続部とを備え、前記主本体が前記接続部に接続し、前記接続部が、歯科用支台又は歯科用インプラントの雄部材を受け入れる雌部材を備え、前記雌部材がコンプライアントな材料製である、歯科用上部構造。並びに、歯科用上部構造を少なくとも１つのインプラントに付着するための歯科用上部構造付着システムであって、前記歯科用上部構造付着システムが、近位側のインプラント接続部及び遠位側の歯科用上部構造接続部を備える歯科用支台と、主本体と前記歯科用支台に接続するための少なくとも１つの接続部とを備える歯科用上部構造とを備え、遠位側の歯科用上部構造接続部及び歯科用上部構造の接続部の一方又は両方がコンプライアントな材料製であり、それにより、前記遠位側の歯科用上部構造接続部と歯科用上部構造の前記接続部との間のスナップ嵌め接続によって、前記歯科用上部構造を前記歯科用支台に取外し自在に付着することができる、歯科用上部構造付着システム。
【０００７】
同じ目的のため、歯科用上部構造を製造する方法が提供され、前記方法は、少なくとも２つのオッセオインテグレートされた歯科用インプラントを有する患者の歯科的状況に対する立体データを得るステップと、前記歯科用インプラントにデジタル的若しくは物理的に付着されるか、又は前記歯科用インプラントの一体構造部である、歯科用支台の雄部材に関する情報を適用するステップと、前記歯科用上部構造が主本体と前記歯科用支台及び／又は歯科用インプラントに接続するための少なくとも２つの接続部とを備え、前記主本体が前記接続部を接続し、前記接続部が、歯科用支台又は歯科用インプラントの前記雄部材を受け入れる雌部材を備え、前記雌部材がコンプライアントな材料で形作られるようにして、前記歯科用上部構造を形作るステップとを含む。
【０００８】
本発明の更なる有利な特徴は従属請求項において定義される。
【０００９】
本発明によって可能なこれら及び他の態様、特徴、並びに利点は、添付図面を参照して本発明の実施形態の以下の説明から明白となり、解明されるであろう。
【図面の簡単な説明】
【００１０】
【図１ａ】本発明の一実施形態の概略側面／断面図である。
【図１ｂ】本発明の一実施形態の概略側面／断面図である。
【図２ａ】本発明の一実施形態の概略側面／断面図である。
【図２ｂ】本発明の一実施形態の概略側面／断面図である。
【発明を実施するための形態】
【００１１】
当業者が本発明を実施することを可能にするために、本発明のいくつかの実施形態について、添付図面を参照して以下により詳細に記載する。しかし、本発明は、多くの異なる形体で具体化されてもよく、本明細書で記述される実施形態に限定されるものと解釈すべきでない。より正確に言えば、本開示が徹底的かつ完全になるように、また本発明の範囲を当業者に対して十分に伝えるように、これらの実施形態が提供される。実施形態は本発明を限定せず、本発明は添付の特許請求の範囲によってのみ限定される。更に、添付図面に例証される特定の実施形態の詳細な記載において使用される用語は、本発明を限定しようとするものではない。
【００１２】
一般に、本発明は、歯科用インプラント２００と共に使用される歯科用上部構造付着システム１００に関する。歯科用上部構造付着システム１００は歯科用上部構造１０及び歯科用支台２０を備える。歯科用上部構造付着システム１００によって、歯科用上部構造１０を歯科用支台２０に、したがって次いで歯科用インプラント２００に取外し自在に付着することが可能になる。
【００１３】
歯科用支台２０は、その近位端区域２１で歯科用インプラント２００に付着可能である。歯科用支台２０は、その遠位端区域２２において歯科用上部構造１０に接続可能である。歯科用支台２０の近位端区域２１はねじやまを切った軸２３を備え、これにより、歯科用インプラント２００内のねじやまを切ったキャビティ２０１に嵌合する。遠位端区域２２は、歯科用上部構造１０の近位端部に接続可能な雄部材２３を備える。雄部材２３は球状ヘッドを含む。雄部材２３が球状ヘッドであるとき、歯科用支台２０は上部構造１０にスナップ嵌めされてもよく、また、更に後述するように、歯科用インプラント２００と歯科用上部構造１００の意図される位置との間の角度差を塞いでもよい。歯科用支台２０は、歯科用支台２０を歯科用インプラント２００にねじ込んで保定できるようにするため、その遠位端にねじ回しの受入れ手段（図示なし）を備えてもよい。
【００１４】
歯科用上部構造１０は、歯科用支台に、及び／又は歯科用インプラント上に直接嵌まり、かつ付着可能な基礎構造であり、その上に、天然の歯を模した表面材料（図示なし）が表面に設けられて、歯科用補綴物を構成してもよい。このように、歯科用上部構造１０は歯科用補綴物の保定を提供する。
【００１５】
歯科用上部構造１０は主本体１１を備える。主本体１１は、複数の支台／インプラント接続部１２を接続／架橋する。支台／インプラント接続部１２はそれぞれ雌受入れ部材１３を備える。雌受入れ部材１３は、支台２０の雄部材２３が雌部材１３と協働して支台２０の上部構造１０の保持を得られるように、雄部材２３に倣ってサイズ及び形状が適合される。したがって、雄部材２３が球状ヘッドを備えるとき、雌部材１３は同様に、雄部材２３の球状ヘッドと同じ寸法の球状キャビティを備える。雄部材２３を雌部材１３に挿入して動かずに協働することを可能にするため、雌部材１３及び雄部材２３の少なくとも一方をコンプライアントな材料製にする必要がある。かかるコンプライアントな材料は、例えば、ポリ（メチルメタクリレート）（ＰＭＭＡ）及びポリオキシメチレン（ＰＯＭ）を含む群から選択される材料など、アクリレートポリマー又はアセタールポリマーなどの熱可塑性材料であってもよい。良好なしっかりした保持を得るため、雌部材１３及び雄部材２３の一方はコンプライアントな材料製であり、他方は剛性材料製である。かかる剛性材料は、チタン、コバルト、クロム、コバルトクロム、及び歯科業界で頻繁に使用される他の金属材料を含む群から選択される材料であってもよい。患者の口内で比較的不変に位置付けることが意図される雄部材２３がかかる剛性材料製であるとき、これらの種類の剛性材料は表面が平滑であることによって洗浄が簡単なため、口腔内を衛生に保つことが簡単になる。
【００１６】
一実施形態では、図１によれば、雄部材２３は、チタン、コバルト、クロム、又はコバルトクロムを含む群から選択された材料などの剛性材料製であり、雌部材１３は、ＰＭＭＡ及びＰＯＭを含む群から選択された材料など、アクリレートポリマー又はアセタールポリマーのような熱可塑性材料などのコンプライアントな材料製である。雌部材１３は、歯科用上部構造１０の一体構造部として含まれる。したがって、歯科用上部構造は雌部材１３を含むように一体構造的に形作られる。これは、患者の口腔内にある雄部材２３に関する位置情報をＣＡＤ／ＣＡＭシステム又は焼結システムに転送することによって達成されてもよく、その後、ＣＡＤ／ＣＡＭシステム又は焼結システムは、歯科用上部構造を既知の方式で粉末セットからミリング又は焼結することによって、金属の一個片から歯科用上部構造１０を形作る。しかし、粉末セットは、例えば、意図される状況に倣って物理的特性を調整するために、より硬質又はより軟質の近位部とより硬質又はより軟質の遠位部とを有する歯科用上部構造１０を完成させるため、粉末の分級又は粉末の種類が異なる層を含んでもよい。
【００１７】
別の実施形態では、図２によれば、雄部材２３はやはり、チタン、コバルト、クロム、又はコバルトクロムを含む群から選択された材料などの剛性材料製であり、雌部材１３は、ＰＭＭＡ及びＰＯＭを含む群から選択された材料など、アクリレート又はアセタールポリマーのような熱可塑性材料などのコンプライアントな材料製である。しかし、雌部材１３は、歯科用上部構造１０の一体構造部として含まれず、その代わりに、雌部材ハウジング１４内に位置付けられる。その結果、雌部材ハウジング１４は、主本体１１内のハウジングキャビティ１５に対応する外形を有する。これらのキャビティは円筒状であるか、又は立方体などの平行六面体であってもよい。その結果、雌部材ハウジング１４の外形は、ハウジングキャビティ１５の形状に対応する形状を有する。次に、雌ハウジング１４は、適切な接着剤又はセメントを使用することによって主本体１１に定着されてもよい。このように、主本体１１は、雌部材１３と同じ材料製である必要はないが、その代わりに、チタン、コバルト、クロム、又はコバルトクロムなどの固体材料で作られてもよい。その結果、主本体は、別個のミリング又は焼結ステップなど、別個のプロセスで製造されてもよく、雌ハウジングも同様に、別個のミリング又は焼結ステップで別個に製造されてもよい。このように、主本体１１を固体材料で製造し、いくつかの雌部材１３を含むコンプライアントな材料の大型ブロックを事前製造し、次に雌部材を前記大型ブロックから切り出して、歯科用上部構造１０の主本体１１に形成されたハウジングキャビティ１５に嵌まる形状にすることが可能である。
【００１８】
このように上部構造１０を製造するとき、最初に、オッセオインテグレートされた歯科用インプラント２００を有する患者の歯科的状況に対する立体データを得る。次に、この情報をソフトウェアに提供し、歯科的状況に関する情報を、前記歯科用インプラントにデジタル的若しくは物理的に付着されるか又は前記歯科用インプラント２００の一体構造部である、歯科用支台２０の雄部材２３に関する情報と併せて処理する。ソフトウェアは、このように、患者の口腔内に実際に存在する雄部材２３に対応するように、雌部材１３を３Ｄ図面で適応させてもよい。
【００１９】
したがって、図１ａ及び１ｂのように、上部構造全体をコンプライアントな材料の一体構造体として製造するとき、雌部材１３は、患者の口腔内における雄部材２３の位置及び姿勢に合致するように、ソフトウェア内でデジタル的に配置される。しかし、図２ａ及び２ｂにしたがって、上部構造が金属などのより固い材料で製造される場合、ソフトウェアは、雄部材２３の姿勢及び位置に対応して３Ｄ図面でデジタルキャビティ１５を位置付けてもよく、それにより、上記にしたがって雌部材ハウジング１４などの雌部材１３を含む予め画成されたブロックを、前記キャビティ１５に正確に嵌め込むことができる。雄部材２３と雌部材１３との間のスナップ嵌めを想定するため、上部構造１０を金属などの剛性材料の一体構造体として製造すべきであり、その代わりに雄部材２３がコンプライアントな材料の層を備えるべきである場合、この後者のステップは必須ではない。
【００２０】
続いて、３Ｄ図面をＣＡＤ／ＣＡＭミリング又は焼結機器に提供し、そこで３Ｄ図面にしたがって歯科用上部構造１０を形作る。歯科用上部構造は、主本体１１と、前記歯科用支台２０及び／又は歯科用インプラント２００に接続するための少なくとも２つの接続部１２とを備えるように形作られる。これにより、上記にしたがって、雌部材１３を含むコンプライアントな材料の一体構造体としての歯科用上部構造１０が得られてもよい。しかし、雌部材１３を含む一体構造体としての、チタン、コバルト、クロム、又はコバルトクロムなどの剛性材料の上部構造１０も得られてもよい。それに加えて、やはり上記にしたがって、雌部材ハウジング１４など、雌部材１３を含むブロックをぴったり受け入れるように形状及びサイズが決められたキャビティ１５を備えた、チタン、コバルト、クロム、又はコバルトクロムのような、金属などの剛性材料製の歯科用上部構造１０が得られてもよい。その結果、雌部材ハウジング１４はコンプライアントな材料製であってもよく、その外部輪郭、サイズ、及び形状は、ソフトウェアのデジタル情報として提供されているキャビティ１５の内部輪郭、サイズ、及び形状に対応する。次に、雌部材ハウジング１４内における雌部材１３の位置が、患者の口腔内における対応する雄部材２３の位置及び向きに対応して予め計算される。次に、雌部材ハウジング１４が、例えば接着によって、歯科用上部構造１０に付着されてもよい。
【００２１】
本発明について特定の実施形態を参照して上記に記載してきたが、本明細書に記述される特定の形態に限定されることを意図しない。より正確に言えば、本発明は添付の特許請求の範囲によってのみ限定され、上述した特定のもの以外の実施形態が、これら添付の請求項の範囲内で等しく可能である。
【００２２】
請求項において、「備える／備えている」という用語は他の要素又はステップが存在することを除外しない。更に、個々に列挙しているが複数の手段、要素、又は方法ステップは、例えば単一のユニット又はプロセッサによって実現されてもよい。それに加えて、個々の特徴が異なる請求項に含まれることがあるが、これらは場合によっては有利に組み合わされてもよく、異なる請求項に含まれることは、特徴の組み合わせが実行可能及び／又は有利ではないことを示唆するものではない。それに加えて、単数形の言及は複数を除外しない。単数形（「ａ」、「ａｎ」）、「第１の」、「第２の」などの用語は複数を排除しない。請求項における参照記号は単に明確な例として提供されるものであり、いかなる形でも請求項の範囲を限定するものと解釈されないものとする。
【図１ａ】
2015534492.tif 000003
【図１ｂ】
2015534492.tif 000004
【図２ａ】
2015534492.tif 000005
【図２ｂ】
2015534492.tif 000006
【国際調査報告】
2015534492.tif 000007
2015534492.tif 000008
2015534492.tif 000009